(57)【要約】【課題】缶から外れにくい広告表示体を形成するためのブランクを提供することを目的とする。【解決手段】頂壁パネル２０と頂壁パネルに第一の折目線４１を介して一体的に接続された側壁パネル４０とを備える缶に装着可能な広告表示体のブランク１０において、頂壁パネルには、缶の上部を挿通させることが可能な開口２１が形成され、側壁パネルを挟んで頂壁パネルの反対側において側壁パネルに対して一方向に隣接して配設されると共に、側壁パネルに第二の折目線６１を介して一体的に接続された折り返しパネル６０を備えており、第二の折目線で折り曲げられて折り返しパネルが側壁パネルに対して側壁パネルの裏面側へ向かって折り返えされると折り返しパネルのうちの第二の折目線の反対側の先端部が開口内に突出されるように、折り返しパネルにおける一方向に沿った幅が側壁パネルにおける一方向に沿った幅よりも大きい。【選択図】図１
2015031887.tif 000002
【特許請求の範囲】
【請求項１】
頂壁パネルと、
表面に広告が表示される側壁パネルであって、前記頂壁パネルに対して一方向に隣接して配設されると共に、前記頂壁パネルに第一の折目線を介して一体的に接続され、前記頂壁パネルに対して該頂壁パネルの裏面側に向かって折り曲げ可能である側壁パネルと、
を備える、缶に装着可能な広告表示体のブランクにおいて、
前記頂壁パネルに開口が形成され、該開口の最大直径が前記缶の上端チャイムの外径よりも大きく、前記開口内に前記缶の上部を前記頂壁パネルの裏面側から挿通させることが可能であり、
前記側壁パネルを挟んで前記頂壁パネルの反対側において前記側壁パネルに対して前記一方向に隣接して配設されると共に、前記側壁パネルに第二の折目線を介して一体的に接続され、前記側壁パネルに対して該側壁パネルの裏面側へ向かって折り曲げ可能である折り返しパネルを備えており、
前記第二の折目線で折り曲げられて前記折り返しパネルが前記側壁パネルに対して該側壁パネルの裏面側へ向かって折り返えされると前記折り返しパネルのうちの前記第二の折目線の反対側の先端部が前記開口内に突出されるように、前記折り返しパネルにおける前記一方向に沿った幅が前記側壁パネルにおける前記一方向に沿った幅よりも大きいことを特徴とするブランク。
【請求項２】
前記第一の折目線が、前記一方向に直交する他方向に間隔をあけて２本配設されており、
前記側壁パネルが、前記他方向における前記側壁パネルの中間位置に、２本の前記第一の折目線の間に亘って延在して前記開口の一部分を画定する縁部を有しており、
前記第一の折目線で折り曲げて前記側壁パネルを前記頂壁パネルに対して該頂壁パネルの裏面側に向かって折り曲げると同時に、前記第二の折目線で折り曲げて前記折り返しパネルを前記側壁パネルに対して該側壁パネルの裏面側へ向かって折り返したときに、前記折り返しパネルの前記先端部が前記側壁パネルの中間の前記縁部から突出し、前記折り返しパネルが前記側壁パネルの裏面に重ね合わせられることを特徴とする、請求項１に記載のブランク。
【請求項３】
前記頂壁パネルの前記一方向の両側にそれぞれ前記側壁パネルが配設され、両側の前記側壁パネルにそれぞれ前記折り返しパネルが接続されており、
両側の前記側壁パネルのうちの一方の側壁パネルの中間の前記縁部と他方の側壁パネルの中間の前記縁部との間の間隔が、前記缶の前記上端チャイムの外径よりも小さいことを特徴とする、請求項２に記載のブランク。
【請求項４】
前記折り返しパネルが、前記幅に直交する前記折り返しパネルの長さが前記第二の折目線側の基端から前記第二の折目線の反対側の先端側に向かって漸次縮小された形状であることを特徴とする、請求項１から３のいずれか一項に記載のブランク。
【請求項５】
前記一方向に直交する他方向における前記頂壁パネルの両側にそれぞれ配設された更なる側壁パネルを備え、
両側の前記更なる側壁パネルの各々は、前記頂壁パネルに対して前記他方向に隣接して配設されると共に、前記頂壁パネルに第三の折目線を介して一体的に接続され、前記頂壁パネルに対して該頂壁パネルの裏面側に向かって折り曲げ可能であり、
前記第三の折目線が、前記一方向に間隔をあけて２本配設されており、
前記更なる側壁パネルが、前記一方向における前記更なる側壁パネルの中間位置に、２本の前記第三の折目線の間に亘って延在して前記開口の一部分を画定する縁部であって２本の前記第三の折目線の間から前記開口の内方側に向かって突出するタブを形成する凸状の縁部を有しており、
両側の前記更なる側壁パネルのうちの一方の更なる側壁パネルの前記第三の折目線と他方の更なる側壁パネルの前記第三の折目線との間隔が、前記缶の上端チャイムの外径よりも小さいことを特徴とする、請求項１から４のいずれか一項に記載のブランク。
【請求項６】
前記一方の更なる側壁パネルの前記凸状の縁部と前記他方の更なる側壁パネルの前記凸状の縁部との間の間隔が、前記缶の前記上端チャイムの外径よりも小さいことを特徴とする、請求項５に記載のブランク。
【請求項７】
頂壁パネルと、
表面に広告が表示される側壁パネルであって、前記頂壁パネルに対して一方向に隣接して配設されると共に、前記頂壁パネルに折目線を介して一体的に接続され、前記頂壁パネルに対して該頂壁パネルの裏面側に向かって折り曲げ可能である側壁パネルと、
を備える、缶に装着可能な広告表示体のブランクにおいて、
前記頂壁パネルに開口が形成され、該開口の最大直径が前記缶の上端チャイムの外径よりも大きく、前記開口内に前記缶の上部を前記頂壁パネルの裏面側から挿通させることが可能であり、
前記頂壁パネルの前記一方向の両側にそれぞれ前記側壁パネルが配設されており、
両側の前記側壁パネルの各々において、前記折目線が、前記一方向に直交する他方向に間隔をあけて２本配設されており、
両側の前記側壁パネルの各々が、前記他方向における前記側壁パネルの中間位置に、２本の前記折目線の間に亘って延在して前記開口の一部分を画定する縁部を有しており、
両側の前記側壁パネルのうちの一方の側壁パネルの前記折目線と他方の側壁パネルの前記折目線との間隔が、前記缶の前記上端チャイムの外径よりも小さいことを特徴とするブランク。
【請求項８】
前記一方の側壁パネルの前記縁部と前記他方の側壁パネルの前記縁部との間の間隔が、前記缶の前記上端チャイムの外径よりも小さいことを特徴とする、請求項７に記載のブランク。
【請求項９】
前記側壁パネルの前記縁部が、凸状であり、前記開口の内方へ突出することを特徴とする、請求項７又は８に記載のブランク。
【請求項１０】
頂壁パネルと、
表面に広告が表示される第一の側壁パネルであって、前記頂壁パネルに対して一方向に隣接して配設されると共に、前記頂壁パネルに第一の折目線を介して一体的に接続され、前記頂壁パネルに対して該頂壁パネルの裏面側に向かって折り曲げ可能である第一の側壁パネルと、
表面に広告が表示される第二の側壁パネルであって、前記頂壁パネルに対して前記一方向に直交する他方向に隣接して配設されると共に、前記頂壁パネルに第二の折目線を介して一体的に接続され、前記頂壁パネルに対して該頂壁パネルの裏面側に向かって折り曲げ可能である第二の側壁パネルと、
を備える、缶に装着可能な広告表示体のブランクにおいて、
前記頂壁パネルに開口が形成され、該開口の最大直径が前記缶の上端チャイムの外径よりも大きく、前記開口内に前記缶の上部を前記頂壁パネルの裏面側から挿通させることが可能であり、
前記頂壁パネルの前記一方向の両側にそれぞれ前記第一の側壁パネルが配設され、前記頂壁パネルの前記他方向の両側にそれぞれ前記第二の側壁パネルが配設され、
両側の前記第一の側壁パネルの各々において、前記第一の折目線が、前記他方向に間隔をあけて２本配設されており、
両側の前記第二の側壁パネルの各々において、前記第二の折目線が、前記一方向に間隔をあけて２本配設されており、
両側の前記第一の側壁パネルの各々が、前記他方向における前記第一の側壁パネルの中間位置に、２本の前記第一の折目線の間に亘って延在して前記開口の一部分を画定する第一の縁部を有しており、
両側の前記第二の側壁パネルの各々が、前記一方向における前記第二の側壁パネルの中間位置に、２本の前記第二の折目線の間に亘って延在して前記開口の一部分を画定する第二の縁部を有しており、
前記頂壁パネルは、前記第一の縁部と前記第二の縁部との間に亘って延在して前記開口の一部分を画定する第三の縁部であって前記開口の内方側に向かって突出するタブを形成する凸状の第三の縁部を有していると共に、前記頂壁パネルには、前記タブを前記頂壁パネルの表面側に折り曲げるための第三の折目線が形成されており、
前記第三の折目線がそれぞれ、前記缶の上部の表面に沿うように形成されており、
両側の前記第一の側壁パネルのうちの一方の第一の側壁パネルの前記第一の折目線と他方の第一の側壁パネルの前記第一の折目線との間隔、及び、両側の前記第二の側壁パネルのうちの一方の第二の側壁パネルの前記第二の折目線と他方の第二の側壁パネルの前記第二の折目線との間隔がそれぞれ、前記缶の前記上端チャイムの外径よりも小さいことを特徴とするブランク。
【請求項１１】
前記第一の縁部および前記第二の縁部のうちの少なくとも一方が、前記開口の内方側に向かって突出する更なるタブを形成する凸状の縁部であることを特徴とする、請求項１０に記載のブランク。
【請求項１２】
前記一方の第一の側壁パネルの前記第一の縁部と前記他方の第一の側壁パネルの前記第一の縁部との間の間隔、及び、前記一方の第二の側壁パネルの前記第二の縁部と前記他方の第二の側壁パネルの前記第二の縁部との間の間隔、のうちの少なくとも一方が、前記缶の前記上端チャイムの外径よりも小さいことを特徴とする、請求項１０又は１１に記載のブランク。
【請求項１３】
前記頂壁パネルが、前記開口の中心に対して対称に配設されて互いに対向する少なくとも一対の前記第三の縁部を有しており、
互いに対向する前記第三の縁部の間の間隔が、前記缶の前記上端チャイムの外径よりも小さいことを特徴とする、請求項１０から１２のいずれか一項に記載のブランク。
【請求項１４】
請求項１から１３のいずれか一項に記載のブランクから作製されることを特徴とする広告表示体。
【発明の詳細な説明】
【技術分野】
【０００１】
本発明は、缶に装着可能な広告表示体のブランク、およびそのブランクから作製される広告表示体に関する。
【背景技術】
【０００２】
従来から、キャンペーン情報や商品情報、宣伝などの広告を表示するための広告表示体として、商品である缶に装着させることができる広告表示体が知られている。このような広告表示体としては、例えば下記特許文献１に示されているような広告表示体が提案されている。このような広告表示体は、一般に厚紙等からなるブランクによって作製される。この広告表示体のブランクには、頂壁パネルと、頂壁パネルに隣接して配設される側壁パネルと、が備えられている。前記頂壁パネルには、缶の上部を頂壁パネルの裏面側から挿通させることが可能な複数の開口が形成されている。前記側壁パネルは、頂壁パネルに折目線を介して一体的に接続されたフラップ状のパネルであり、頂壁パネルに対して頂壁パネルの裏面側に向かって折り曲げられている。
【先行技術文献】
【特許文献】
【０００３】
【特許文献１】米国特許第５，５５３，７０５号明細書
【発明の概要】
【発明が解決しようとする課題】
【０００４】
上記した従来の広告表示体では、缶の上部が頂壁パネルの開口に挿通されると共に、開口の縁部に設けられた複数のタブの先端が缶上端のチャイムに下方から掛止されることで、缶が保持される。しかしながら、上記した従来の広告表示体では、開口に対する缶の上部の嵌合が緩く、広告表示体が意図せずに缶から外れる場合がある。
【０００５】
また、上記した従来の広告表示体では、頂壁パネルに対して折り曲げられた側壁パネルに広告が表示される場合が多い。しかしながら、上記した従来の広告表示体において、側壁パネルは、厚紙等の原紙に形成された折目線に沿って折り曲げられているだけなので、折目線を中心に容易に回動し得る状態であり、一定の角度に固定されていない。しかも、側壁パネルを一旦折り曲げても、側壁パネルに復元力が作用して側壁パネルが折り曲げ前の元の水平位置の方（つまり、缶の胴部の表面から離れる方向）へ戻ろうとする。このため、上記した従来の広告表示体では、側壁パネルに表示された広告が消費者から見えにくくなる場合がある。
【０００６】
本発明は、上記した従来の問題が考慮されたものであり、缶から外れにくい広告表示体を作製することができるブランクを提供することであり、好ましくは、缶から外れにくいだけでなく、側壁パネルが所定の角度で固定され、そこに表示された広告が消費者から見易くなる広告表示体を作製することができるブランクを提供することを目的としている。
【課題を解決するための手段】
【０００７】
本発明の第一の態様としては、頂壁パネルと、表面に広告が表示される側壁パネルであって、前記頂壁パネルに対して一方向に隣接して配設されると共に、前記頂壁パネルに第一の折目線を介して一体的に接続され、前記頂壁パネルに対して該頂壁パネルの裏面側に向かって折り曲げ可能である側壁パネルと、を備える、缶に装着可能な広告表示体のブランクにおいて、
前記頂壁パネルに開口が形成され、該開口の最大直径が前記缶の上端チャイムの外径よりも大きく、前記開口内に前記缶の上部を前記頂壁パネルの裏面側から挿通させることが可能であり、
前記側壁パネルを挟んで前記頂壁パネルの反対側において前記側壁パネルに対して前記一方向に隣接して配設されると共に、前記側壁パネルに第二の折目線を介して一体的に接続され、前記側壁パネルに対して該側壁パネルの裏面側へ向かって折り曲げ可能である折り返しパネルを備えており、
前記第二の折目線で折り曲げられて前記折り返しパネルが前記側壁パネルに対して該側壁パネルの裏面側へ向かって折り返えされると前記折り返しパネルのうちの前記第二の折目線の反対側の先端部が前記開口内に突出されるように、前記折り返しパネルにおける前記一方向に沿った幅が前記側壁パネルにおける前記一方向に沿った幅よりも大きいことを特徴としている。
【０００８】
上記した特徴を有するブランクによれば、第一の折目線で折り曲げて側壁パネルを頂壁パネルに対して頂壁パネルの裏面側に向かって折り曲げると共に、第二の折目線で折り曲げて折り返しパネルを側壁パネルに対して側壁パネルの裏面側へ向かって折り返すことにより、広告表示体が作製される。また、缶の上部を頂壁パネルの裏面側から頂壁パネルの開口の中に挿通させ、折り返しパネルの先端（すなわち、折り返しパネルのうちの第二の折目線の反対側の縁部）を缶の上端チャイムに下方から掛止させることで、広告表示体が缶に装着される。
【０００９】
上記のようにして広告表示体が缶に装着されたとき、折り返しパネルは、缶の上部の表面と側壁パネルの裏面との間に位置すると共に、その下端が側壁パネルの下端に接続され、その上端が缶の上端チャイムに掛止された状態となる。このため、折り返しパネルは、折り曲げられた側壁パネルの下端を缶側に向かって引っ張るかのように、缶表面から離れる方向への側壁パネルの動きに対して抵抗する作用を奏し、その結果、側壁パネルは一定の折り曲げ角度で保持される。
【００１０】
また、折り返しパネルを側壁パネルに対して側壁パネルの裏面側に一旦折り曲げても、その折り返しパネルには元の位置に戻ろうとする復元力が作用するため、折り返しパネルの上端は側壁パネルの裏面側から缶側に向かって付勢される。また、折り曲げられた側壁パネルにおける復元力（元の位置に戻ろうとする力）により、側壁パネルに接続された折り返しパネルの上端が缶側に向けて付勢される。その結果、折り返しパネルの上端は、缶の表面に強く押し付けられた状態となり、缶の上端チャイムから外れにくくなる。
【００１１】
上記第一の態様のブランクにおいて、前記第一の折目線が、前記一方向に直交する他方向に間隔をあけて２本配設されており、
前記側壁パネルが、前記他方向における前記側壁パネルの中間位置に、２本の前記第一の折目線の間に亘って延在して前記開口の一部分を画定する縁部を有しており、
前記第一の折目線で折り曲げて前記側壁パネルを前記頂壁パネルに対して該頂壁パネルの裏面側に向かって折り曲げると同時に、前記第二の折目線で折り曲げて前記折り返しパネルを前記側壁パネルに対して該側壁パネルの裏面側へ向かって折り返したときに、前記折り返しパネルの前記先端部が前記側壁パネルの中間の前記縁部から突出し、前記折り返しパネルが前記側壁パネルの裏面に重ね合わせられることが好ましい。
さらに、前記頂壁パネルの前記一方向の両側にそれぞれ前記側壁パネルが配設され、両側の前記側壁パネルにそれぞれ前記折り返しパネルが接続されており、両側の前記側壁パネルのうちの一方の側壁パネルの中間の前記縁部と他方の側壁パネルの中間の前記縁部との間の間隔が、前記缶の前記上端チャイムの外径よりも小さいことが好ましい。
これにより、広告表示体が缶に装着されたときに、折り返しパネルが缶上部の表面に密接するように缶上部の表面に沿って配置されると共に、側壁パネルが折り返しパネルと重なって配置されるので、缶が開口内に堅く嵌合される。
【００１２】
また、上記第一の態様のブランクにおいて、前記折り返しパネルが、前記幅に直交する前記折り返しパネルの長さが前記第二の折目線側の基端から前記第二の折目線の反対側の先端側に向かって漸次縮小された形状であることが好ましい。
【００１３】
また、上記第一の態様のブランクにおいて、前記一方向に直交する他方向における前記頂壁パネルの両側にそれぞれ配設された更なる側壁パネルを備え、
両側の前記更なる側壁パネルの各々は、前記頂壁パネルに対して前記他方向に隣接して配設されると共に、前記頂壁パネルに第三の折目線を介して一体的に接続され、前記頂壁パネルに対して該頂壁パネルの裏面側に向かって折り曲げ可能であり、
前記第三の折目線が、前記一方向に間隔をあけて２本配設されており、
前記更なる側壁パネルが、前記一方向における前記更なる側壁パネルの中間位置に、２本の前記第三の折目線の間に亘って延在して前記開口の一部分を画定する縁部であって２本の前記第三の折目線の間から前記開口の内方側に向かって突出するタブを形成する凸状の縁部を有しており、
両側の前記更なる側壁パネルのうちの一方の更なる側壁パネルの前記第三の折目線と他方の更なる側壁パネルの前記第三の折目線との間隔が、前記缶の上端チャイムの外径よりも小さいことが好ましい。
さらに、前記一方の更なる側壁パネルの前記凸状の縁部と前記他方の更なる側壁パネルの前記凸状の縁部との間の間隔が、前記缶の前記上端チャイムの外径よりも小さいことが好ましい。
このような構成では、第三の折目線で折り曲げて更なる側壁パネルを頂壁パネルに対して頂壁パネルの裏面側に向かって折り曲げることにより、更なる側壁パネルの凸状の縁部によって形成されたタブが頂壁パネルの上方に立ち上げられる。そのタブの上端は、缶の上部を頂壁パネルの裏面側から頂壁パネルの開口の中に挿通させたときに、缶の上端チャイムに下方から掛止される。このとき、一方の更なる側壁パネルの第三の折目線と他方の更なる側壁パネルの第三の折目線との間隔が缶の上端チャイムの外径よりも小さくなっているため、タブが缶上部の表面に密接するように缶上部の表面に沿って配置される。これにより、缶が開口内に堅く嵌合される。
【００１４】
本発明の第二の態様としては、頂壁パネルと、表面に広告が表示される側壁パネルであって、前記頂壁パネルに対して一方向に隣接して配設されると共に、前記頂壁パネルに折目線を介して一体的に接続され、前記頂壁パネルに対して該頂壁パネルの裏面側に向かって折り曲げ可能である側壁パネルと、を備える、缶に装着可能な広告表示体のブランクにおいて、
前記頂壁パネルに開口が形成され、該開口の最大直径が前記缶の上端チャイムの外径よりも大きく、前記開口内に前記缶の上部を前記頂壁パネルの裏面側から挿通させることが可能であり、
前記頂壁パネルの前記一方向の両側にそれぞれ前記側壁パネルが配設されており、
両側の前記側壁パネルの各々において、前記折目線が、前記一方向に直交する他方向に間隔をあけて２本配設されており、
両側の前記側壁パネルの各々が、前記他方向における前記側壁パネルの中間位置に、２本の前記折目線の間に亘って延在して前記開口の一部分を画定する縁部を有しており、
両側の前記側壁パネルのうちの一方の側壁パネルの前記折目線と他方の側壁パネルの前記折目線との間隔が、前記缶の前記上端チャイムの外径よりも小さいことを特徴としている。
【００１５】
上記第二の態様のブランクにおいて、前記一方の側壁パネルの前記縁部と前記他方の側壁パネルの前記縁部との間の間隔が、前記缶の前記上端チャイムの外径よりも小さいことが好ましい。また、前記側壁パネルの前記縁部が、凸状であり、前記開口の内方へ突出することが好ましい。
【００１６】
上記した特徴を有するブランクによれば、折目線で折り曲げて側壁パネルを頂壁パネルに対して頂壁パネルの裏面側に向かって折り曲げることにより、広告表示体が形成される。また、上述したように側壁パネルを折り曲げることで、側壁パネルの凸状の縁部によって形成されるタブが頂壁パネルの上方に立ち上げられる。また、缶の上部を頂壁パネルの裏面側から頂壁パネルの開口の中に挿通させ、立ち上げられたタブの上端を缶の上端チャイムに下方から掛止させることで、広告表示体が缶に装着される。このとき、一方の側壁パネルの折目線と他方の側壁パネルの折目線との間隔が缶の上端チャイムの外径よりも小さくなっているため、タブが缶上部の表面に密接するように缶上部の表面に沿って配置される。これにより、缶が開口内に堅く嵌合される。
【００１７】
本発明の第三の態様としては、頂壁パネルと、表面に広告が表示される第一の側壁パネルであって、前記頂壁パネルに対して一方向に隣接して配設されると共に、前記頂壁パネルに第一の折目線を介して一体的に接続され、前記頂壁パネルに対して該頂壁パネルの裏面側に向かって折り曲げ可能である第一の側壁パネルと、表面に広告が表示される第二の側壁パネルであって、前記頂壁パネルに対して前記一方向に直交する他方向に隣接して配設されると共に、前記頂壁パネルに第二の折目線を介して一体的に接続され、前記頂壁パネルに対して該頂壁パネルの裏面側に向かって折り曲げ可能である第二の側壁パネルと、を備える、缶に装着可能な広告表示体のブランクにおいて、
前記頂壁パネルに開口が形成され、該開口の最大直径が前記缶の上端チャイムの外径よりも大きく、前記開口内に前記缶の上部を前記頂壁パネルの裏面側から挿通させることが可能であり、
前記頂壁パネルの前記一方向の両側にそれぞれ前記第一の側壁パネルが配設され、前記頂壁パネルの前記他方向の両側にそれぞれ前記第二の側壁パネルが配設され、
両側の前記第一の側壁パネルの各々において、前記第一の折目線が、前記他方向に間隔をあけて２本配設されており、
両側の前記第二の側壁パネルの各々において、前記第二の折目線が、前記一方向に間隔をあけて２本配設されており、
両側の前記第一の側壁パネルの各々が、前記他方向における前記第一の側壁パネルの中間位置に、２本の前記第一の折目線の間に亘って延在して前記開口の一部分を画定する第一の縁部を有しており、
両側の前記第二の側壁パネルの各々が、前記一方向における前記第二の側壁パネルの中間位置に、２本の前記第二の折目線の間に亘って延在して前記開口の一部分を画定する第二の縁部を有しており、
前記頂壁パネルは、前記第一の縁部と前記第二の縁部との間に亘って延在して前記開口の一部分を画定する第三の縁部であって前記開口の内方側に向かって突出するタブを形成する凸状の第三の縁部を有していると共に、前記頂壁パネルには、前記タブを前記頂壁パネルの表面側に折り曲げるための第三の折目線が形成されており、
前記第三の折目線がそれぞれ、前記缶の上部の表面に沿うように形成されており、
両側の前記第一の側壁パネルのうちの一方の第一の側壁パネルの前記第一の折目線と他方の第一の側壁パネルの前記第一の折目線との間隔、及び、両側の前記第二の側壁パネルのうちの一方の第二の側壁パネルの前記第二の折目線と他方の第二の側壁パネルの前記第二の折目線との間隔がそれぞれ、前記缶の前記上端チャイムの外径よりも小さいことを特徴としている。
【００１８】
上記した特徴を有するブランクによれば、第一の折目線で折り曲げて第一の側壁パネルを頂壁パネルに対して頂壁パネルの裏面側に向かって折り曲げると共に、第二の折目線で折り曲げて第二の側壁パネルを頂壁パネルに対して頂壁パネルの裏面側に向かって折り曲げ、さらに、第三の折目線で折り曲げて、凸状の第三の縁部によって形成されたタブを頂壁パネルの表面側に折り曲げて立ち上げることにより、広告表示体が形成される。また、缶の上部を頂壁パネルの裏面側から頂壁パネルの開口の中に挿通させ、立ち上げられたタブの上端を缶の上端チャイムに下方から掛止させることで、広告表示体が缶に装着される。このとき、一方の第一の側壁パネルの第一の折目線と他方の第一の側壁パネルの第一の折目線との間隔が缶の上端チャイムの外径よりも小さく、且つ、一方の第二の側壁パネルの第二の折目線と他方の第二の側壁パネルの第二の折目線との間隔が缶の上端チャイムの外径よりも小さくなっているため、タブが缶上部の表面に密接するように缶上部の表面に沿って配置される。これにより、缶が開口内に堅く嵌合される。
【００１９】
上記第三の態様のブランクにおいて、前記第一の縁部および前記第二の縁部のうちの少なくとも一方が、前記開口の内方側に向かって突出する更なるタブを形成する凸状の縁部であることが好ましい。
これにより、凸状の縁部を有する第一或いは第二の側壁パネルを頂壁パネルに対して頂壁パネルの裏面側に向かって折り曲げることにより、その側壁パネルの凸状の縁部によって形成されたタブが頂壁パネルの上方に立ち上げられる。そのタブの上端は、缶の上部を頂壁パネルの裏面側から頂壁パネルの開口の中に挿通させたときに、缶の上端チャイムに下方から掛止される。このとき、凸状の縁部を有する両側の側壁パネルのうちの一方の側壁パネルの折目線と他方の側壁パネルの折目線との間隔が缶の上端チャイムの外径よりも小さくなっているため、タブが缶上部の表面に密接するように缶上部の表面に沿って配置される。これにより、缶が開口内に堅く嵌合される。
【００２０】
上記第三の態様のブランクにおいて、前記一方の第一の側壁パネルの前記第一の縁部と前記他方の第一の側壁パネルの前記第一の縁部との間の間隔、及び、前記一方の第二の側壁パネルの前記第二の縁部と前記他方の第二の側壁パネルの前記第二の縁部との間の間隔、のうちの少なくとも一方が、前記缶の前記上端チャイムの外径よりも小さいことが好ましい。
これにより、缶が開口内により堅く嵌合される。
【００２１】
上記第三の態様のブランクにおいて、前記頂壁パネルが、前記開口の中心に対して対称に配設されて互いに対向する少なくとも一対の前記第三の縁部を有しており、
互いに対向する前記第三の縁部の間の間隔が、前記缶の前記上端チャイムの外径よりも小さいことが好ましい。
【００２２】
本発明の別の態様は、上記した本発明に係るブランクから作製される広告表示体である。
【発明の効果】
【００２３】
本発明の上記第一の態様のブランクによれば、広告表示体を缶から外れにくくすることができると共に、側壁パネルに表示された広告を消費者から見易くさせることができる。
【００２４】
本発明の上記第二及び第三の態様のブランクによれば、広告表示体を缶から外れにくくすることができる。
【図面の簡単な説明】
【００２５】
【図１】図１は本発明の第一実施形態に係るブランクを示す平面図である。
【図２】図２は本発明の第一実施形態に係るブランクによって作製された広告表示体を正面側から見た側面図である。
【図３】図３は本発明の第一実施形態に係るブランクによって作製された広告表示体を横側から見た側面図である。
【図４】図４は本発明の第二実施形態に係るブランクを示す平面図である。
【図５】図５は本発明の第二実施形態に係るブランクによって作製された広告表示体を横側から見た側面図である。
【図６】図６は本発明の第三実施形態に係るブランクを示す平面図である。
【図７】図５７は本発明の第三実施形態に係るブランクによって作製された広告表示体を中央で切断した縦断面図である。
【発明を実施するための形態】
【００２６】
以下、本発明に係る広告表示体のブランクの実施形態について、図面に基づいて説明する。
以下の説明において、方向を明確にするために、参照符号Ｘの方向を「第一方向」とし、その第一方向Ｘに直交する参照符号Ｙの方向を「第二方向」とする。なお、前記「第一方向Ｘ」は、上記した本発明の第一及び第三の態様における「一方向」、並びに、上記した本発明の第二の態様における「他方向」に相当する。また、前記「第二方向Ｙ」は、上記した本発明の第一及び第三の態様における「他方向」、並びに、上記した本発明の第二の態様における「一方向」に相当する。
【００２７】
［第一実施形態］
まず、本発明の第一実施形態に係るブランク１０の構成について説明する。
【００２８】
図１には、第一実施形態に係るブランク１０が示されている。このブランク１０は、缶１（図２、図３に示す）の上部に装着可能な後述する広告表示体１０´（図２、図３に示す）を作製するための厚紙からなるブランクである。図１に示すように、ブランク１０は、頂壁パネル２０と、側壁パネル４０，５０と、折り返しパネル６０と、垂下パネル７０と、を備えている。なお、前記した側壁パネル４０，５０及び垂下パネル７０の表面に、キャンペーン情報や商品情報、宣伝などの広告が表示されている。
【００２９】
頂壁パネル２０は、平面視において矩形、特に略正方形のパネルである。この頂壁パネル２０には、開口２１が形成されている。この開口２１は、頂壁パネル２０に対して同心となる位置に配設されている。開口２１の最大直径Ｒｍａｘは、缶１の上端チャイム２の外径Ｒ０（図２、図３に示す）よりも大きくなっており、これにより、開口２１内に缶１の上部を頂壁パネル２０の裏面側から挿通させることが可能である。
【００３０】
上記した頂壁パネル２０の第一方向Ｘの両側にはそれぞれ、側壁パネル４０が頂壁パネル２０に対して第一方向Ｘに隣接して配設されている。これら両側の側壁パネル４０はそれぞれ、第二方向Ｙに長い平面視略長方形のパネルであり、頂壁パネル２０の第二方向Ｙの長さとほぼ等しい長さを有している。
【００３１】
両側の側壁パネル４０はそれぞれ、頂壁パネル２０に折目線４１を介して一体的に接続されている。前記折目線４１は、側壁パネル４０を頂壁パネル２０に対して頂壁パネル２０の裏面側に向けて折り曲げるための折目線であり、頂壁パネル２０と側壁パネル４０との境界線上に位置して第二方向Ｙに沿って直線的に延在している。また、各側壁パネル４０ごとに２本の折目線４１が設けられており、これらの折目線４１は、側壁パネル４０の長手方向（第二方向Ｙ）の両側の位置に互いに間隔をあけて配設されている。
【００３２】
また、上記した両側の側壁パネル４０はそれぞれ、側壁パネル４０の長手方向（第二方向Ｙ）における中間位置に、上記した開口２１の一部分を画定する縁部４２を有している。この縁部４２は、上記した両側の折目線４１，４１の間に亘って第二方向Ｙに沿って直線的に延在している。つまり、直線状の縁部４２と両側の折目線４１，４１とは、第二方向Ｙに沿って一直線上に並んでいる。また、両側の側壁パネル４０，４０のうちの一方の側壁パネル４０の直線状の縁部４２と、他方の側壁パネル４０の直線状の縁部４２との間の間隔ｄ１は、缶１の上端チャイム２の外径Ｒ０（図２、図３に示す）よりも小さい。同様に、一方の側壁パネル４０の折目線４１と他方の側壁パネル４０の折目線４１との間の間隔ｄ２（上記間隔ｄ１と等しい）は、缶１の上端チャイム２の外径Ｒ０よりも小さい。
【００３３】
上記した両側の側壁パネル４０にはそれぞれ、折り返しパネル６０が接続されている。この折り返しパネル６０は、側壁パネル４０を挟んで頂壁パネル２０の反対側において側壁パネル４０に対して第一方向Ｘに隣接して配設されている。つまり、折り返しパネル６０は、折り返しパネル６０と頂壁パネル２０との間に側壁パネル４０が配設されるような位置に配置されており、ブランク１０における第一方向Ｘの両端にそれぞれ折り返しパネル６０が配設されている。
【００３４】
上記した折り返しパネル６０は、隣接する側壁パネル４０に折目線６１を介して一体的に接続されている。前記折目線６１は、折り返しパネル６０を側壁パネル４０に対して側壁パネル４０の裏面まで折り曲げるための折目線であり、側壁パネル４０と折り返しパネル６０との境界線上に位置して第二方向Ｙに沿って直線的に延在している。また、折り返しパネル６０は、平面視略台形状に形成されており、折り返しパネル６０の長さ（第二方向Ｙの寸法）は、折目線６１側の基端から折目線６１の反対側の先端側に向かって漸次縮小されている。なお、折り返しパネル６０の基端における長さは側壁パネル４０の長さよりも短くなっている。また、折り返しパネル６０の幅Ｗ１（第一方向Ｘの寸法）は、側壁パネル４０の幅Ｗ２よりも大きくなっている。
【００３５】
上記した折り返しパネル６０では、ブランク１０を折り返しパネル６０と側壁パネル４０との間の折目線６１で折り曲げられて折り返しパネル６０が側壁パネル４０に対して側壁パネル４０の裏面側へ向かって折り返えされたときに、折り返しパネル６０の先端部分が開口２１内に突出される。また、上記した折り返しパネル６０は、ブランク１０をさらに側壁パネル４０と頂壁パネル２０との間の折目線４１で折り曲げて側壁パネル４０を頂壁パネル２０に対して頂壁パネル２０の裏面側に向かって屈曲させたときに、折り返しパネル６０の先端部分が側壁パネル４０の直線状の縁部４２の位置から上向きに突出し、折り返しパネル６０が側壁パネル４０の裏面に重ね合わせられるように構成されている。
【００３６】
また、上記した頂壁パネル２０の第二方向Ｙの両側にはそれぞれ、側壁パネル５０が頂壁パネル２０に対して第二方向Ｙに隣接して配設されている。これら両側の側壁パネル５０はそれぞれ、第二方向Ｙに長い平面視略長方形のパネルであり、頂壁パネル２０の第二方向Ｙの長さとほぼ等しい長さを有している。
【００３７】
両側の側壁パネル５０はそれぞれ、頂壁パネル２０に折目線５１を介して一体的に接続されている。前記折目線５１は、側壁パネル５０を頂壁パネル２０に対して頂壁パネル２０の裏面側に向けて折り曲げるための折目線であり、頂壁パネル２０と側壁パネル５０との境界線上に位置して第一方向Ｘに沿って直線的に延在している。また、各側壁パネル５０ごとに２本の折目線５１が設けられており、これらの折目線５１は、側壁パネル５０の長手方向（第一方向Ｘ）の両側の位置に互いに間隔をあけて配設されている。
【００３８】
また、上記した両側の側壁パネル５０はそれぞれ、側壁パネル５０の長手方向（第一方向Ｘ）における中間位置に、上記した開口２１の一部分を画定する縁部５２を有している。この縁部５２は、上記した両側の折目線５１，５１の間に亘って延在しており、両側の折目線５１，５１の間から開口２１の内方側に向かって突出するタブ５３を形成する凸状の縁部である。両側の側壁パネル５０，５０のうちの一方の側壁パネル５０の凸状の縁部５２の先端と、他方の側壁パネル５０の凸状の縁部５２の先端との間の間隔ｄ３は、缶１の上端チャイム２の外径Ｒ０（図２、図３に示す）よりも小さい。さらに、一方の側壁パネル５０の折目線５１と他方の側壁パネル５０の折目線５１との間の間隔ｄ４も缶１の上端チャイム２の外径Ｒ０よりも小さい。
【００３９】
また、両側の側壁パネル５０にはそれぞれ、上記した両側の折目線５１，５１の間に亘って延在すると共に折目線５４が形成されている。この折目線５４は、缶１の上部のテーパー状の表面に沿うように円弧形状を呈している。
【００４０】
上記した両側の側壁パネル５０にはそれぞれ、垂下パネル７０が接続されている。この垂下パネル７０は、側壁パネル５０を挟んで頂壁パネル２０の反対側において側壁パネル５０に対して第二方向Ｙに隣接して配設されている。つまり、垂下パネル７０は、垂下パネル７０と頂壁パネル２０との間に側壁パネル５０が配設されるような位置に配置されており、ブランク１０における第二方向Ｙの両端にそれぞれ垂下パネル７０が配設されている。
【００４１】
上記した垂下パネル７０は、隣接する側壁パネル５０に折目線７１を介して一体的に接続されている。前記折目線７１は、垂下パネル７０を側壁パネル５０に対して側壁パネル５０の裏面側に向かって傾斜させるように折り曲げるための折目線であり、側壁パネル５０と垂下パネル７０との境界線上に位置して第一方向Ｘに沿って直線的に延在している。
【００４２】
次に、上記した構成からなるブランク１０の使用方法について説明する。
【００４３】
まず、ブランク１０を側壁パネル４０と折り返しパネル６０との間の折目線６１で折り曲げて折り返しパネル６０を側壁パネル４０の裏面まで折り返し、折り返しパネル６０の先端部分を開口２１の内方側に突出させる。
【００４４】
続いて、図２、図３に示すように、缶１の上部を頂壁パネル２０の裏面側から頂壁パネル２０の開口２１（図１に示す）の中に挿通させる。このとき、缶１の上部が開口２１内に挿入されながら、開口２１の内方側に突出した折り返しパネル６０の先端部分が缶１の上端チャイム２に係合することで、頂壁パネル２０と側壁パネル４０との間の折目線４１で折り曲げられ、折り返しパネル６０の先端部分が開口２１から頂壁パネル２０の上方に向けて立ち上げられる。そして、缶１の上端チャイム２が折り返しパネル６０の先端を乗り越えたところで、折り返しパネル６０の先端が缶１の上端チャイム２に下方から掛止される。また、缶１の上部が開口２１内に挿入されながら、開口２１の内方側に突出したタブ５３が缶１の上端チャイム２に係合することで、頂壁パネル２０と側壁パネル５０との間の折目線５１で折り曲げられ、タブ５３が頂壁パネル２０の上方に向けて立ち上げられる。そして、缶１の上端チャイム２がタブ５３の先端を乗り越えたところで、タブ５３の先端が缶１の上端チャイム２に下方から掛止される。
【００４５】
このようにして、ブランク１０からなる広告表示体１０´が缶１の上部に装着される。
なお、缶１の上部を頂壁パネル２０の開口２１の中に挿通させる前に、ブランク１０を頂壁パネル２０と側壁パネル４０との間の折目線４１で折り曲げて側壁パネル４０を頂壁パネル２０の裏面側に向けて折り曲げてもよい。また同様に、ブランク１０を頂壁パネル２０と側壁パネル５０との間の折目線５１で折り曲げて側壁パネル５０を頂壁パネル２０の裏面側に向けて折り曲げてもよく、さらには、ブランク１０を側壁パネル５０と垂下パネル７０との間の折目線７１で折り曲げて垂下パネル７０を側壁パネル５０に対して側壁パネル５０の裏面側に向けて傾斜させてもよい。
【００４６】
次に、上記したブランク１０の作用及び効果について説明する。
【００４７】
上記したブランク１０によれば、広告表示体１０´が缶１の上部に装着されると、折り返しパネル６０が缶１の上部のテーパー状の表面と側壁パネル４０の裏面との間に位置すると共に、折り返しパネル６０の下端が側壁パネル４０の下端に接続され、折り返しパネル６０の上端が缶１の上端チャイム２に掛止された状態となる。このため、折り返しパネル６０は、折り曲げられた側壁パネル４０の下端を缶１の表面側に向かって引っ張るかのように、側壁パネル４０の缶１の表面から離れる方向への動きに対して抵抗する作用を奏する。その結果、側壁パネル４０は一定の折り曲げ角度で保持される。このように、側壁パネル４０が所定の角度で固定されるので、その側壁パネル４０に表示された広告を消費者から見易くさせることができる。
【００４８】
また、折り返しパネル６０を側壁パネル４０の裏面側に向けて一旦折り曲げても、その折り返しパネル６０には元の位置に戻ろうとする動き、つまり側壁パネル４０の裏面から離れようとする復元力が働く。このため、広告表示体１０´が缶１の上部に装着されているとき、折り返しパネル６０は、元の位置に戻ろうとする動きによって、缶１側に向けて付勢される。また同時に、折り曲げられた側壁パネル４０にも元の位置に戻ろうとする復元力が働く。このため、この側壁パネル４０に接続された折り返しパネル６０は、上記した側壁パネル４０の復元力の作用により、缶１側に向けて付勢される。その結果、折り返しパネル６０は、缶１の上部のテーパー状の表面に強く押し付けられた状態となるため、折り返しパネル６０の先端が缶１の上端チャイム２から外れにくくなる。これにより、缶１の上部に装着された広告表示体１０´が意図せずに缶１から外れることを防止することができる。
【００４９】
上記した構成のブランク１０では、特に、広告表示体１０´が缶１の上部に装着されたとき、側壁パネル４０が折り返しパネル６０と重なって配置されると共に、折り返しパネル６０が缶１の上部のテーパー状の表面に密接するようにその表面に沿って配置されると共に、タブ５３が缶１の上部のテーパー状の表面に密接するようにその表面に沿って配置され、缶１が開口２１の内側にぴったりとフィットするように開口２１内に堅く嵌合される。したがって、缶１の上部に装着された広告表示体１０´は缶１から極めて外れにくく、広告表示体１０´が意図せずに缶１から外れることを確実に防止することができる。
【００５０】
［第二実施形態］
ここから、本発明の第二実施形態に係るブランク１１０について説明する。なお、上述した第一実施形態と同様の特徴については説明を適宜省略する。
【００５１】
まず、本発明の第二実施形態に係るブランク１１０の構成について説明する。
【００５２】
図４には、第二実施形態に係るブランク１１０が示されている。このブランク１１０は、頂壁パネル１２０と、頂壁パネル１２０の第一方向Ｘの両側に位置する側壁パネル１４０と、頂壁パネル１２０の第二方向Ｙの両側に位置する側壁パネル１５０と、これら両側の側壁パネル１５０にそれぞれ接続された垂下パネル１７０と、を備えている。なお、このブランク１１０には、上記した第一実施形態における折り返しパネル６０に相当するパネルが備えられていないが、上記した第一実施形態と同様に折り返しパネルが備えられた構成にすることも可能である。
【００５３】
頂壁パネル１２０と側壁パネル１４０との間に形成された２本の折目線１４１は、側壁パネル１４０の第二方向Ｙの両側の位置に互いに間隔をあけて配設されている。そして、側壁パネル１４０は、上記した両側の折目線１４１，１４１の間に亘って延在して開口１２１の一部分を画定する直線状の縁部１４２を有している。また、両側の側壁パネル１４０，１４０のうちの一方の側壁パネル１４０の直線状の縁部１４２と、他方の側壁パネル１４０の直線状の縁部１４２との間の間隔ｄ１は、缶１の上端チャイム２の外径Ｒ０（図５に示す）よりも小さい。また同様に、一方の側壁パネル１４０の折目線１４１と他方の側壁パネル１４０の折目線１４１との間の間隔ｄ２は、缶１の上端チャイム２の外径Ｒ０よりも小さい。
【００５４】
頂壁パネル１２０と側壁パネル１５０との間に形成された２本の折目線１５１は、側壁パネル１５０の第一方向Ｘの両側の位置に互いに間隔をあけて配設されている。そして、側壁パネル１５０は、上記した両側の折目線１５１，１５１の間に亘って延在して開口１２１の一部分を画定する縁部１５２であってタブ１５３を形成する凸状の縁部１５２を有している。また、両側の側壁パネル１５０，１５０のうちの一方の側壁パネル１５０の凸状の縁部１５２の先端と、他方の側壁パネル１５０の凸状の縁部１５２の先端との間の間隔ｄ３は、缶１の上端チャイム２の外径Ｒ０（図５に示す）よりも小さい。さらに、一方の側壁パネル１５０の折目線１５１と他方の側壁パネル１５０の折目線１５１との間の間隔ｄ４は、缶１の上端チャイム２の外径Ｒ０よりも小さい。
【００５５】
頂壁パネル１２０は、上記した直線状の縁部１４２の端部と上記した凸状の縁部１５２の端部との間に亘って延在して開口１２１の一部分を画定する縁部１２２を有している。この縁部１２２は、開口１２１の内方側に向かって突出するタブ１２３を形成する凸状の縁部である。また、頂壁パネル１２０には、タブ１２３を頂壁パネル１２０の表面側に折り曲げるための折目線１２４が形成されている。この折目線１２４は、缶１の上部のテーパー状の表面に沿うように円弧形状を呈している。なお、上記した凸状の縁部１２２（タブ１２３）及び折目線１２４は、頂壁パネル１２０の四隅部分にそれぞれ配設されており、頂壁パネル１２０の対角部分に位置する一対の凸状の縁部１２２（タブ１２３）及び折目線１２４は開口１２１の中心に対して対称に配設されており、凸状の縁部１２２同士は互いに対向している。また、互いに対向する凸状の縁部１２２，１２２の先端同士の間の間隔ｄ５は、缶１の上端チャイム２の外径Ｒ０（図５に示す）よりも小さい。
【００５６】
次に、上記した構成からなるブランク１１０の使用方法について説明する。
【００５７】
図５に示すように、缶１の上部を頂壁パネル１２０の裏面側から頂壁パネル１２０の開口１２１の中に挿通させる。このとき、缶１の上部が開口１２１内に挿入されながら、開口１２１の内方側に突出した側壁パネル１５０のタブ１５３が缶１の上端チャイム２に係合することで、頂壁パネル１２０と側壁パネル１５０との間の折目線１５１で折り曲げられ、タブ１５３が頂壁パネル１２０の上方に向けて立ち上げられる。また、缶１の上部が開口２１内に挿入されながら、開口１２１の内方側に突出した頂壁パネル１２０のタブ１２３が缶１の上端チャイム２に係合することで、頂壁パネル１２０に形成された折目線１２４で折り曲げられ、タブ１２３が頂壁パネル１２０の上方に向けて立ち上げられる。
そして、缶１の上端チャイム２が上記したタブ１５３，１２３の先端を乗り越えたところで、タブ１５３，１２３の先端が缶１の上端チャイム２に下方から掛止される。また、頂壁パネル１２０と側壁パネル１４０との間の折目線１４１で折り曲げられ、側壁パネル１４０が頂壁パネル１２０に対して頂壁パネル１２０の裏面側に向けて折り曲げられる。
このようにして、ブランク１１０からなる広告表示体１１０´が缶１の上部に装着される。
【００５８】
次に、上記したブランク１１０の作用及び効果について説明する。
【００５９】
上記したブランク１１０によれば、一方の側壁パネル１４０の折目線１４１と他方の側壁パネル１４０の折目線１４１との間隔ｄ２が缶１の上端チャイム２の外径ｄ０よりも小さく、且つ、一方の側壁パネル１５０の折目線１５１と他方の側壁パネル１５０の折目線１５１との間隔ｄ４が缶１の上端チャイム２の外径ｄ０よりも小さくなっているため、各タブ１５３，１２３がそれぞれ缶１の上部のテーパー状の表面に密接するようにその表面に沿って配置される。これにより、缶１が開口１２１の内側にぴったりとフィットするように開口１２１内に堅く嵌合される。したがって、缶１の上部に装着された広告表示体１１０´は缶１から極めて外れにくく、広告表示体１１０´が意図せずに缶１から外れることを確実に防止することができる。
【００６０】
［第三実施形態］
ここから、本発明の第三実施形態に係るブランク２１０について説明する。なお、上述した第一実施形態と同様の特徴については説明を適宜省略する。
【００６１】
まず、本発明の第三実施形態に係るブランク２１０の構成について説明する。
【００６２】
図６には、第二実施形態に係るブランク２１０が示されている。このブランク２１０は、頂壁パネル２２０と、頂壁パネル２２０の第一方向Ｘの両側に位置する側壁パネル２４０と、これら両側の側壁パネル２４０にそれぞれ接続された折り返しパネル２６０と、折り返しパネル２６０に接続された補強パネル２８０と、頂壁パネル２２０の第二方向Ｙの両側に位置する側壁パネル２５０と、これら両側の側壁パネル２５０に折目線２７１を介してそれぞれ接続された垂下パネル２７０と、を備えている。なお、このブランク２１０には、上記した第二実施形態における頂壁パネル１２０のタブ１２３に相当するタブが備えられていないが、上記した第二実施形態と同様に、開口２２１Ａ，２２１Ｂの内方側に向けて突出するタブが頂壁パネル２２０に設けられた構成にすることも可能である。
【００６３】
頂壁パネル２２０は、第二方向Ｙに長い長方形のパネルである。この頂壁パネル２２０には、互いに第二方向Ｙに間隔をあけて並べて配置された２つの開口２２１Ａ，２２１Ｂが形成されている。頂壁パネル２２０の中央領域には、２つの開口２２１Ａ，２２１Ｂのそれぞれの一部分を画定する２つの縁部２２２Ａ，２２２Ｂであって開口２２１Ａ，２２１Ｂの内方側に向かって突出するタブ２２３Ａ，２２３Ｂを形成する凸状の縁部２２２Ａ，２２２Ｂが形成されている。また、頂壁パネル２２０の中央領域には、前記２つの縁部２２２Ａ，２２２Ｂの各々の基端部分に配設された２つの折目線２２４Ａ，２２４Ｂが形成されている。これらの折目線２２４Ａ，２２４Ｂはそれぞれ、缶１の上部のテーパー状の表面に沿うように円弧形状を呈している。
【００６４】
頂壁パネル２２０と側壁パネル２４０との間の境界部分には、第二方向Ｙに沿って延在する折目線２４１Ａ，２４１Ｂ，２４１Ｃであって第二方向Ｙに間欠的に並設された３本の折目線２４１Ａ，２４１Ｂ，２４１Ｃが形成されている。これら３本の折目線２４１Ａ，２４１Ｂ，２４１Ｃは、側壁パネル２４０の長手方向（第二方向Ｙ）の両側の位置にそれぞれ配設された折目線２４１Ａ，２４１Ｂと、側壁パネル２４０の長手方向の中央位置に配置された折目線２４１Ｃと、を含む。また、側壁パネル２４０は、一方の折目線２４１Ａと中央の折目線２４１Ｃとの間に亘って延在して一方の開口２２１Ａの一部分を画定する直線状の縁部２４２Ａと、他方の折目線２４１Ｂと中央の折目線２４１Ｃとの間に亘って延在して他方の開口２２１Ｂの一部分を画定する直線状の縁部２４２Ｂと、を有している。
【００６５】
折り返しパネル２６０は、壁パネル２４０を挟んで頂壁パネル２２０の反対側において側壁パネル２４０に対して第一方向Ｘに隣接して配設されており、第二方向Ｙに延在する折目線２６１を介して側壁パネル２４０に接続されている。折り返しパネル２６０のうちの第二方向Ｙの両側部分にはそれぞれ、平面視略台形状のタブ部２６２が形成されている。
【００６６】
折り返しパネル２６０のうちの第二方向Ｙの中央部分、つまりは両側のタブ部２６２，２６２の間には、補強パネル２８０が第二方向Ｙに延在する折目線２８１を介して接続されている。この補強パネル２８０は、折り返しパネル２６０を挟んで側壁パネル２４０の反対側において折り返しパネル２６０の中央部分に対して第一方向Ｘに隣接して配設されている。この補強パネル２８０は、頂壁パネル２２０のうちの２つの開口２２１Ａ，２２１Ｂの間の中間領域を補強するために頂壁パネル２２０の裏面に重ね合わせられるパネルであり、補強パネル２８０の輪郭形状は、頂壁パネル２２０の前記中間領域の一部分の形状に略一致している。
【００６７】
側壁パネル２５０及び垂下パネル２７０は、上記した第一実施形態における側壁パネル５０及び垂下パネル７０と同一である。すなわち、側壁パネル２５０は、頂壁パネル２２０に折目線２５１を介して一体的に接続されており、また、側壁パネル２５０の長手方向（第一方向Ｘ）における中間位置に、上記した開口２２１Ａ，２２１Ｂの一部分を画定する縁部２５２であってタブ２５３を形成する凸状の縁部２５２を有している。
【００６８】
次に、上記した構成からなるブランク２１０の使用方法について説明する。
【００６９】
まず、ブランク２１０を側壁パネル２４０と折り返しパネル２６０との間の折目線２６１で折り曲げて折り返しパネル２６０を側壁パネル２４０の裏面まで折り返し、折り返しパネル２６０の両側のタブ部２６２，２６２の先端部分を開口２２１Ａ，２２１Ｂの内方側に突出させる。また、折目線２６１で折り曲げて折り返しパネル２６０を側壁パネル２４０の裏面まで折り返すことで、補強パネル２８０が、頂壁パネル２２０のうちの中間領域の裏面に重ね合わせられる。
【００７０】
続いて、図７に示すように、頂壁パネル２２０の２つの開口２２１Ａ，２２１Ｂの中にそれぞれ、缶１の上部を頂壁パネル２２０の裏面側から挿通させる。このとき、缶１の上部が開口２２１Ａ，２２１Ｂ内に挿入されながら、開口２２１Ａ，２２１Ｂの内方側に突出した折り返しパネル２６０の両側のタブ部２６２，２６２の先端部分が缶１の上端チャイム２に係合することで、頂壁パネル２２０と側壁パネル２４０との間の折目線２４１Ａ，２４１Ｂ，２４１Ｃ、及び、折り返しパネル２６０と補強パネル２８０との間の折目線２８１で折り曲げられ、折り返しパネル２６０の両側のタブ部２６２，２６２の先端部分がそれぞれ開口２２１Ａ，２２１Ｂから頂壁パネル２２０の上方に向けて立ち上げられる。そして、缶１の上端チャイム２が折り返しパネル２６０の両側のタブ部２６２，２６２の先端を乗り越えたところで、折り返しパネル２６０のタブ部２６２，２６２の先端が缶１の上端チャイム２に下方から掛止される。また、缶１の上部が開口２２１Ａ，２２１Ｂ内に挿入されながら、開口２２１Ａ，２２１Ｂの内方側に突出したタブ２５３が缶１の上端チャイム２に係合することで、頂壁パネル２２０と側壁パネル２５０との間の折目線２５１で折り曲げられ、タブ２５３が頂壁パネル２２０の上方に向けて立ち上げられる。そして、缶１の上端チャイム２がタブ２５３の先端を乗り越えたところで、タブ２５３の先端が缶１の上端チャイム２に下方から掛止される。
【００７１】
このようにして、ブランク２１０からなる広告表示体２１０´が２本の缶１の上部に装着され、この広告表示体２１０´によって、２本の缶１が組み合わされたマルチパックを作製することができる。なお、頂壁パネル２２０の中間領域の裏面に重ね合わせられる補強パネル２８０は、粘着テープや粘着剤などを介して頂壁パネル２２０に貼り付けられることが好ましい。
【００７２】
次に、上記したブランク２１０の作用及び効果について説明する。
【００７３】
上記したブランク２１０によれば、上述した第一実施形態のブランク１０と同様の作用及び効果を奏することができるだけでなく、補強パネル２８０によって頂壁パネル２２０が補強されるので、広告表示体２１０´が２本の缶１に装着されたときに、２本の缶１の重さによって頂壁パネル２２０が変形することを防止することができる。
【００７４】
以上、本発明に係るブランクの実施形態について説明したが、本発明は上記した実施形態に限定されるものではなく、その趣旨を逸脱しない範囲で適宜変更可能である。例えば、上記した実施形態では、１本又は２本の缶１に装着される広告表示体１０´，１１０´，２１０´を作製するためのブランク１０，１１０，２１０について説明しているが、本発明は３本以上の缶に装着される広告表示体を作製するためのブランクであってもよい。
【００７５】
また、上記した実施形態では、厚紙からなるブランク１０，１１０，２１０について説明しているが、本発明は、厚紙以外の材料からなるブランクであってもよく、厚紙と同程度の可撓性を有する限り、材料は適宜変更可能である。
【００７６】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００７７】
１  缶
２  上端チャイム
１０  ブランク
１０´  広告表示体
２０  頂壁パネル
２１１  開口
４０  側壁パネル
５０  側壁パネル
５３  タブ
６０  折り返しパネル
１１０  ブランク
１１０´  広告表示体
１２０  頂壁パネル
１２１  開口
１５０  側壁パネル
１５３  タブ
２１０  ブランク
２１０´  広告表示体
２２０  頂壁パネル
２２１  開口
２４０  側壁パネル
２５０  側壁パネル
２５３  タブ
２６０  折り返しパネル
【図１】
2015031887.tif 000003
【図２】
2015031887.tif 000004
【図３】
2015031887.tif 000005
【図４】
2015031887.tif 000006
【図５】
2015031887.tif 000007
【図６】
2015031887.tif 000008
【図７】
2015031887.tif 000009